(57)【特許請求の範囲】
【請求項１】
所定の位置に配置された複数の無線タグと、複数の被観察者が所持する携帯端末と、観察者の所持する端末と、データサーバとからなる見守りシステムであって、
前記被観察者が所持するそれぞれの携帯端末が、
前記無線タグからタグ情報を読み取るタグ情報読み取り手段と、
アドホックネットワーク通信を行い、隣接する携帯端末のＭＡＣアドレスを取得して、グループを形成するグループ形成手段と、
該隣接する携帯端末が読み取ったタグ情報を収集する収集手段と、
前記読み取ったタグ情報と、該形成したグループ情報とを前記データサーバに送信する送信手段と、
を備え、
前記データサーバが、地図情報を格納する格納手段と、
前記受信したタグ情報に基づいて、収集した携帯端末の情報を地図に展開して位置情報を生成する位置情報生成手段と、
該生成した位置情報を前記観察者の所持する端末に送信する位置情報送信手段と、
を備え、
前記観察者の所持する端末が、前記位置情報を受信し、該位置情報を表示することを特徴とする見守りシステム。
【請求項２】
前記複数の被観察者が所持する携帯端末のうち、１の携帯端末の送信手段のみが、前記データサーバに対して、前記読み取ったタグ情報と、該収集した隣接する携帯端末の情報とを送信することを特徴とする請求項１に記載の見守りシステム。
【請求項３】
前記被観察者が所持するそれぞれの携帯端末のタグ情報読み取り手段が、近距離無線により、前記無線タグからタグ情報を読み取ることを特徴とする請求項１に記載の見守りシステム。
【請求項４】
前記データサーバが、受信したタグ情報と、収集した携帯端末の情報とを時系列的に記憶する記憶手段を備え、前記位置情報生成手段が時系列的に、前記受信したタグ情報に基づいて、収集した携帯端末の情報を地図に展開することを特徴とする請求項１に記載の見守りシステム。
【請求項５】
所定の位置に配置された複数の無線タグと、複数の被観察者が所持する携帯端末と、複数の見守り者が所持する携帯端末と、観察者の所持する端末と、データサーバとからなる見守りシステムであって、
前記見守り者が所持する携帯端末と複数の被観察者が所持する携帯端末とが、
前記無線タグからタグ情報を読み取るタグ情報読み取り手段と、
前記複数の被観察者が所持する携帯端末とアドホックネットワーク通信を行い、隣接する携帯端末のＭＡＣアドレスを取得して、グループを形成するグループ形成手段と、
該隣接する携帯端末が読み取ったタグ情報を収集する収集手段と、
を備え、
前記見守り者が所持する携帯端末が、
前記読み取ったタグ情報と、該形成したグループ情報とを前記データサーバに送信する送信手段と、
を備えるとともに、
前記データサーバが、地図情報を格納する格納手段と、
前記受信したタグ情報に基づいて、収集した携帯端末の情報を地図に展開して位置情報を生成する位置情報生成手段と、
該生成した位置情報を前記観察者の所持する端末に送信する位置情報送信手段と、
を備え、
前記観察者の所持する端末が、前記位置情報を受信し、該位置情報を表示することを特徴とする見守りシステム。
【請求項６】
前記見守り者が所持するそれぞれの携帯端末のタグ情報読み取り手段が、近距離無線により、前記無線タグからタグ情報を読み取ることを特徴とする請求項５に記載の見守りシステム。
【請求項７】
前記データサーバが、受信したタグ情報と、収集した携帯端末の情報とを時系列的に記憶する記憶手段を備え、前記位置情報生成手段が時系列的に、前記受信したタグ情報に基づいて、収集した携帯端末の情報を地図に展開することを特徴とする請求項５に記載の見守りシステム。
【請求項８】
前記記憶手段に記憶された情報から異常状態を検出する異常状態検出手段を備え、
該異常状態検出手段が異常状態を検出したときに、前記見守り者がそれぞれ所持する携帯端末に異常状態を知らせる通知を行う通知手段を備えたことを特徴とする請求項７に記載の見守りシステム。
【請求項９】
前記グループを形成できる携帯端末のリストと無線タグのリストとを管理する管理サーバを備え、
該管理サーバが前記リストをすべての携帯端末に配布するとともに、該すべての携帯端末が、前記リストに載っていない情報を排除することを特徴とする請求項１または請求項５に記載の見守りシステム。
【請求項１０】
前記管理サーバが、スケジュールデータを管理し、該スケジュールデータに応じて、見守りモードと、リストやスケジュール等の管理データの更新を行う保守モードとの切り換えを制御することを特徴とする請求項９に記載の見守りシステム。
【請求項１１】
所定の位置に配置された複数の無線タグと、複数の被観察者が所持する携帯端末と、観察者の所持する端末と、データサーバとからなる見守りシステムにおける見守り方法であって、
前記被観察者が所持するそれぞれの携帯端末が、前記無線タグからタグ情報を読み取る第１のステップと、
アドホックネットワーク通信を行い、隣接する携帯端末のＭＡＣアドレスを取得して、グループを形成する第２のステップと、
該隣接する携帯端末が読み取ったタグ情報を収集する第３のステップと、
前記読み取ったタグ情報と、該形成したグループ情報とを前記データサーバに送信する第４のステップと、
前記データサーバが、前記受信したタグ情報に基づいて、収集した携帯端末の情報を予め格納する地図に展開して位置情報を生成する第５のステップと、
該生成した位置情報を前記観察者の所持する端末に送信する第６のステップと、
前記観察者の所持する端末が、前記位置情報を受信し、該位置情報を表示する第７のステップと、
を備えたことを特徴とする見守り方法。
【請求項１２】
所定の位置に配置された複数の無線タグと、複数の被観察者が所持する携帯端末と、複数の見守り者が所持する携帯端末と、観察者の所持する端末と、データサーバとからなる見守りシステムにおける見守り方法であって、
前記見守り者が所持する携帯端末と複数の被観察者が所持する携帯端末とが、前記無線タグからタグ情報を読み取る第１のステップと、
前記複数の被観察者が所持する携帯端末とアドホックネットワーク通信を行い、隣接する携帯端末のＭＡＣアドレスを取得して、グループを形成する第２のステップと、
該隣接する携帯端末が読み取ったタグ情報を収集する第３のステップと、
前記読み取ったタグ情報と、該形成したグループ情報とを前記データサーバに送信する第４のステップと、
前記データサーバが、前記受信したタグ情報に基づいて、収集した携帯端末の情報を予め格納した地図に展開して位置情報を生成する第５のステップと、
該生成した位置情報を前記観察者の所持する端末に送信する第６のステップと、
前記観察者の所持する端末が、前記位置情報を受信し、該位置情報を表示する第７のステップと、
を備えたことを特徴とする見守り方法。
【請求項１３】
所定の位置に配置された複数の無線タグと、複数の被観察者が所持する携帯端末と、観察者の所持する端末と、データサーバとからなる見守りシステムにおける見守り方法をコンピュータに実行させるためのプログラムであって、
前記被観察者が所持するそれぞれの携帯端末が、前記無線タグからタグ情報を読み取る第１のステップと、
アドホックネットワーク通信を行い、隣接する携帯端末のＭＡＣアドレスを取得して、グループを形成する第２のステップと、
該隣接する携帯端末が読み取ったタグ情報を収集する第３のステップと、
前記読み取ったタグ情報と、該形成したグループ情報とを前記データサーバに送信する第４のステップと、
前記データサーバが、前記受信したタグ情報に基づいて、収集した携帯端末の情報を予め格納する地図に展開して位置情報を生成する第５のステップと、
該生成した位置情報を前記観察者の所持する端末に送信する第６のステップと、
前記観察者の所持する端末が、前記位置情報を受信し、該位置情報を表示する第７のステップと、
をコンピュータに実行させるためのプログラム。
【請求項１４】
所定の位置に配置された複数の無線タグと、複数の被観察者が所持する携帯端末と、複数の見守り者が所持する携帯端末と、観察者の所持する端末と、データサーバとからなる見守りシステムにおける見守り方法をコンピュータに実行させるためのプログラムであって、
前記見守り者が所持する携帯端末と複数の被観察者が所持する携帯端末とが、前記無線タグからタグ情報を読み取る第１のステップと、
前記複数の被観察者が所持する携帯端末とアドホックネットワーク通信を行い、隣接する携帯端末のＭＡＣアドレスを取得して、グループを形成する第２のステップと、
該隣接する携帯端末が読み取ったタグ情報を収集する第３のステップと、
前記読み取ったタグ情報と、該形成したグループ情報とを前記データサーバに送信する第４のステップと、
前記データサーバが、前記受信したタグ情報に基づいて、収集した携帯端末の情報を予め格納した地図に展開して位置情報を生成する第５のステップと、
該生成した位置情報を前記観察者の所持する端末に送信する第６のステップと、
前記観察者の所持する端末が、前記位置情報を受信し、該位置情報を表示する第７のステップと、
をコンピュータに実行させるためのプログラム。
【発明の詳細な説明】
【技術分野】
【０００１】
本発明は、主に小学校低学年等の低年齢の児童の登下校時に、児童を見守り、保護者に安心を与えるとともに、万一の異常事態の発生をいち早く検出するための見守りシステム、見守り方法およびプログラムに関する。
【背景技術】
【０００２】
近年、登下校時に一人になる子供を狙った凶悪犯罪が多発し、これを防止する取り組みが進められている。その取り組みの中で、教師、保護者、地域のボランティア、警備業者等による登下校時の児童の見守り、児童への教育等が行なわれているが、前者の人間による見守りは、保護者、教師、ボランティア等の時間の確保、警備業者への費用の確保等の課題を有しており、永続的な取組みとするには困難な状況である場合が多い。そこで、ＩＴ（Ｉｎｆｏｒｍａｔｉｏｎ
Ｔｅｃｈｎｏｌｏｇｙ）を使った見守りシステムによる見守りが注目されてきており、複数の企業から見守りシステムの発表が行なわれ、各地で実証実験が行なわれている。
【０００３】
上記のような見守りシステムとしては、見守りセンサー（学校の校門、通学路、及び街中に設置）、メールサーバ（利用者にメール送信）、ＷＥＢサーバ（通過履歴や子どもの画像を閲覧）、及び管理用データベースサーバにより構成され、子どもが装着した電子タグと連動して、各見守りセンサーが登下校状況を把握し、子どもの通過履歴や通過画像をＷＥＢやメールで保護者が確認するシステム（非特許文献１参照。）や、ＧＰＳ（Ｇｌｏｂｌ  Ｐｏｓｉｔｉｏｎｉｎｇ  Ｓｙｓｔｅｍ）等の位置検索サービスを利用し、利用者ごとに、指定した時間帯に指定した時間間隔で定期的に位置情報を得て記録することにより移動経路を把握するとともに、利用者ごとにあらかじめ設定された地域範囲と比較することにより異常な行動経路をすばやく認識し警告を発するシステム（特許文献１参照。）が知られている。
【非特許文献１】ｈｔｔｐ：//ｐａｎａｓｏｎｉｃ．ｃｏ．ｊｐ/ｃｒｏｐ/ｎｅｗｓ/ｏｆｆｉｃｉａｌ．ｄａｔａ/ｄａｔａ．ｄｉｒ/ｊｎ０６０６０１−２/ｊｎ０６０６０１-２．ｈｔｍｌ
【特許文献１】特開２００６−１６４２０７号公報
【発明の開示】
【発明が解決しようとする課題】
【０００４】
しかしながら、非特許文献１に記載された技術では、見守りセンサー側にネットワークを構築する必要があるため、システムが大規模になり、また、子どもが装着した電子タグが見守りセンサーに対して、情報を提供する仕組みであるため、電子タグの内容を改竄された場合に、セキュリティ上の問題がある。
【０００５】
また、特許文献１に記載に記載された技術では、ＧＰＳを用いることから、衛星と通信ができる場所でなければ機能しないため、場所的な制約があるという問題がある。また、特定の人の位置を確認できても、周りに誰がいるのかがわからないという問題もある。さらに、衛星と１対１で通信を行うため、ネットワークの負荷が大きいといった問題もある。
【０００６】
そこで、本発明は、上記事情に鑑みてなされたものであり、被観察者をグループ化することにより、異常状態の発生をいち早く検出して、即座に、異常状態に対応できる見守りシステム、見守り方法およびプログラムを提供することを目的とする。
【課題を解決するための手段】
【０００７】
本発明は、上記した課題を解決するために以下の事項を提案している。
【０００８】
（１）本発明は、所定の位置に配置された複数の無線タグと、複数の被観察者が所持する携帯端末と、観察者の所持する端末と、データサーバとからなる見守りシステムであって、前記被観察者が所持するそれぞれの携帯端末が、前記無線タグからタグ情報を読み取るタグ情報読み取り手段と、アドホックネットワーク通信を行い、隣接する携帯端末のＭＡＣアドレスを取得して、グループを形成するグループ形成手段と、該隣接する携帯端末が読み取ったタグ情報を収集する収集手段と、前記読み取ったタグ情報と、該形成したグループ情報とを前記データサーバに送信する送信手段と、を備え、前記データサーバが、地図情報を格納する格納手段と、前記受信したタグ情報に基づいて、収集した携帯端末の情報を地図に展開して位置情報を生成する位置情報生成手段と、該生成した位置情報を前記観察者の所持する端末に送信する位置情報送信手段と、を備え、前記観察者の所持する端末が、前記位置情報を受信し、該位置情報を表示することを特徴とする見守りシステムを提案している。
【０００９】
この発明によれば、被観察者が所持するそれぞれの携帯端末のタグ情報読み取り手段が、無線タグからタグ情報を読み取り、グループ形成手段が、アドホックネットワーク通信を行い、隣接する携帯端末のＭＡＣアドレスを取得して、グループを形成し、収集手段が、隣接する携帯端末が読み取ったタグ情報を収集し、送信手段が、読み取ったタグ情報と、形成したグループ情報とをデータサーバに送信する。データサーバの位置情報生成手段は、受信したタグ情報に基づいて、収集した携帯端末の情報を格納された地図に展開して位置情報を生成し、位置情報送信手段が、生成した位置情報を観察者の所持する端末に送信する。そして、観察者の所持する端末が、位置情報を受信し、位置情報を表示する。したがって、無線タグからタグ情報を読み取るとともに、アドホックネットワーク通信を行って、グループを形成して、隣接する携帯端末の情報を収集することから、位置情報と一緒にいる他の被観察者の情報を入手することができる。また、被観察者が所持するそれぞれの携帯端末は、無線タグからタグ情報を読み取るだけで、情報の提供を行わないことからセキュリティを確保できる。なお、収集した携帯端末の情報は、予め格納された地図情報に展開する場合に限らず、ネットワークにアクセスして外部から取得した地図情報に展開してもよい。
【００１０】
（２）本発明は、（１）の見守りシステムについて、前記複数の被観察者が所持する携帯端末のうち、１の携帯端末の送信手段のみが、前記データサーバに対して、前記読み取ったタグ情報と、該収集した隣接する携帯端末の情報とを送信することを特徴とする見守りシステムを提案している。
【００１１】
この発明によれば、複数の被観察者が所持する携帯端末のうち、１の携帯端末の送信手段のみが、データサーバに対して、読み取ったタグ情報と、収集した隣接する携帯端末の情報とを送信することから、他の携帯端末からの無駄な通信を排除して、ネットワークの負荷を軽減することができる。
【００１２】
（３）本発明は、（１）の見守りシステムについて、前記被観察者が所持するそれぞれの携帯端末のタグ情報読み取り手段が、近距離無線により、前記無線タグからタグ情報を読み取ることを特徴とする見守りシステムを提案している。
【００１３】
この発明によれば、被観察者が所持するそれぞれの携帯端末のタグ情報読み取り手段が、近距離無線により、無線タグからタグ情報を読み取ることから、エリアをある一定の範囲に特定することができる。
【００１４】
（４）本発明は、（１）の見守りシステムについて、前記データサーバが、受信したタグ情報と、収集した携帯端末の情報とを時系列的に記憶する記憶手段を備え、前記位置情報生成手段が時系列的に、前記受信したタグ情報に基づいて、収集した携帯端末の情報を地図に展開することを特徴とする見守りシステムを提案している。
【００１５】
この発明によれば、位置情報生成手段が時系列的に、受信したタグ情報に基づいて、収集した携帯端末の情報を地図に展開することから、特定の被観察者の足取りを正確にトレースすることができる。
【００１６】
（５）本発明は、所定の位置に配置された複数の無線タグと、複数の被観察者が所持する携帯端末と、複数の見守り者が所持する携帯端末と、観察者の所持する端末と、データサーバとからなる見守りシステムであって、前記見守り者が所持する携帯端末と複数の被観察者が所持する携帯端末とが、前記無線タグからタグ情報を読み取るタグ情報読み取り手段と、前記複数の被観察者が所持する携帯端末とアドホックネットワーク通信を行い、隣接する携帯端末のＭＡＣアドレスを取得して、グループを形成するグループ形成手段と、該隣接する携帯端末が読み取ったタグ情報を収集する収集手段と、を備え、前記見守り者が所持する携帯端末が、前記読み取ったタグ情報と、該形成したグループ情報とを前記データサーバに送信する送信手段と、を備えるとともに、前記データサーバが、地図情報を格納する格納手段と、前記受信したタグ情報に基づいて、収集した携帯端末の情報を地図に展開して位置情報を生成する位置情報生成手段と、該生成した位置情報を前記観察者の所持する端末に送信する位置情報送信手段と、を備え、前記観察者の所持する端末が、前記位置情報を受信し、該位置情報を表示することを特徴とする見守りシステムを提案している。
【００１７】
この発明によれば、見守り者が所持する携帯端末と複数の被観察者が所持する携帯端末のタグ情報読み取り手段が、無線タグからタグ情報を読み取り、複数の被観察者が所持する携帯端末とアドホックネットワーク通信を行い、グループ形成手段が、隣接する携帯端末のＭＡＣアドレスを取得して、グループを形成し、収集手段が、隣接する携帯端末が読み取ったタグ情報を収集して、見守り者が所持する携帯端末の送信手段が、読み取ったタグ情報と、形成したグループ情報とをデータサーバに送信する。データサーバの位置情報生成手段は、受信したタグ情報に基づいて、収集した携帯端末の情報を予め格納した地図に展開して位置情報を生成し、位置情報送信手段が、生成した位置情報を観察者の所持する端末に送信する。そして、観察者の所持する端末が、位置情報を受信し、位置情報を表示する。したがって、無線タグからタグ情報を読み取るとともに、アドホックネットワーク通信を行って、グループを形成して、隣接する携帯端末の情報を収集することから、位置情報と一緒にいる他の被観察者の情報を入手することができる。また、見守り者が所持するそれぞれの携帯端末は、無線タグからタグ情報を読み取るだけで、情報の提供を行わないことからセキュリティを確保できる。さらに、見守り者が所持する携帯端末が、データサーバに対して、読み取ったタグ情報と、収集した隣接する携帯端末の情報とを送信することから、他の携帯端末からの無駄な通信を排除して、ネットワークの負荷を軽減することができる。
【００１８】
（６）本発明は、（５）の見守りシステムについて、前記見守り者が所持するそれぞれの携帯端末のタグ情報読み取り手段が、近距離無線により、前記無線タグからタグ情報を読み取ることを特徴とする見守りシステムを提案している。
【００１９】
この発明によれば、見守り者が所持するそれぞれの携帯端末のタグ情報読み取り手段が、近距離無線により、無線タグからタグ情報を読み取ることから、エリアをある一定の範囲に特定することができる。
【００２０】
（７）本発明は、（５）の見守りシステムについて、前記データサーバが、受信したタグ情報と、収集した携帯端末の情報とを時系列的に記憶する記憶手段を備え、前記位置情報生成手段が時系列的に、前記受信したタグ情報に基づいて、収集した携帯端末の情報を地図に展開することを特徴とする見守りシステムを提案している。
【００２１】
この発明によれば、位置情報生成手段が時系列的に、受信したタグ情報に基づいて、収集した携帯端末の情報を地図に展開することから、特定の被観察者の足取りを正確にトレースすることができる。
【００２２】
（８）本発明は、（７）の見守りシステムについて、前記記憶手段に記憶された情報から異常状態を検出する異常状態検出手段を備え、
該異常状態検出手段が異常状態を検出したときに、前記見守り者がそれぞれ所持する携帯端末に異常状態を知らせる通知を行う通知手段を備えたことを特徴とする見守りシステムを提案している。
【００２３】
この発明によれば、データサーバの異常状態検出手段が記憶手段に記憶された情報から異常状態を検出するとともに、電子メール送信手段が、異常状態検出手段が異常状態を検出したときに、見守り者がそれぞれ所持する携帯端末に異常状態を知らせる通知を行う。したがって、異常状態を知らせる通知を受信した見守り者は、異常状態の発生に早急に対応することができる。
【００２４】
（９）本発明は、（１）または（５）の見守りシステムについて、前記グループを形成できる携帯端末のリストと無線タグのリストとを管理する管理サーバを備え、
該管理サーバが前記リストをすべての携帯端末に配布するとともに、該すべての携帯端末が、前記リストに載っていない情報を排除することを特徴とする見守りシステムを提案している。
【００２５】
この発明によれば、管理サーバが、グループを形成できる携帯端末のリストと無線タグのリストとを管理するとともに、リストをすべての携帯端末に配布し、すべての携帯端末が、リストに載っていない情報を排除する。したがって、リストにより、送信されてきた情報が携帯端末に関する情報なのか、無線タグに関する情報なのかを区別できるとともに、第三者のシステムへの侵入を未然に防止することができる。
【００２６】
（１０）本発明は、（１）または（５）の見守りシステムについて、前記管理サーバが、スケジュールデータを管理し、該スケジュールデータに応じて、見守りモードと、リストやスケジュール等の管理データの更新を行う保守モードとの切り換えを制御することを特徴とする見守りシステムを提案している。
【００２７】
この発明によれば、管理サーバが、スケジュールデータを管理し、スケジュールデータに応じて、見守りモードと、リストやスケジュール等の管理データの更新を行う保守モードとの切り換えを制御することから、システムを効率的に運用することができる。
【００２８】
（１１）本発明は、所定の位置に配置された複数の無線タグと、複数の被観察者が所持する携帯端末と、観察者の所持する端末と、データサーバとからなる見守りシステムにおける見守り方法であって、前記被観察者が所持するそれぞれの携帯端末が、前記無線タグからタグ情報を読み取る第１のステップと、アドホックネットワーク通信を行い、隣接する携帯端末のＭＡＣアドレスを取得して、グループを形成する第２のステップと、該隣接する携帯端末が読み取ったタグ情報を収集する第３のステップと、前記読み取ったタグ情報と、該形成したグループ情報とを前記データサーバに送信する第４のステップと、前記データサーバが、前記受信したタグ情報に基づいて、収集した携帯端末の情報を予め格納する地図に展開して位置情報を生成する第５のステップと、該生成した位置情報を前記観察者の所持する端末に送信する第６のステップと、前記観察者の所持する端末が、前記位置情報を受信し、該位置情報を表示する第７のステップと、を備えたことを特徴とする見守り方法を提案している。
【００２９】
この発明によれば、被観察者が所持するそれぞれの携帯端末が、無線タグからタグ情報を読み取り、アドホックネットワーク通信を行い、隣接する携帯端末のＭＡＣアドレスを取得して、グループを形成し、隣接する携帯端末が読み取ったタグ情報を収集して、読み取ったタグ情報と、形成したグループ情報とをデータサーバに送信する。データサーバは、受信したタグ情報に基づいて、収集した携帯端末の情報を予め格納する地図に展開して位置情報を生成し、生成した位置情報を観察者の所持する端末に送信する。観察者の所持する端末は、位置情報を受信し、位置情報を表示する。したがって、無線タグからタグ情報を読み取るとともに、アドホックネットワーク通信を行って、グループを形成して、隣接する携帯端末の情報を収集することから、位置情報と一緒にいる他の被観察者の情報を入手することができる。また、被観察者が所持するそれぞれの携帯端末は、無線タグからタグ情報を読み取るだけで、情報の提供を行わないことからセキュリティを確保できる。
【００３０】
（１２）本発明は、所定の位置に配置された複数の無線タグと、複数の被観察者が所持する携帯端末と、複数の見守り者が所持する携帯端末と、観察者の所持する端末と、データサーバとからなる見守りシステムにおける見守り方法であって、前記見守り者が所持する携帯端末と複数の被観察者が所持する携帯端末とが、前記無線タグからタグ情報を読み取る第１のステップと、前記複数の被観察者が所持する携帯端末とアドホックネットワーク通信を行い、隣接する携帯端末のＭＡＣアドレスを取得して、グループを形成する第２のステップと、該隣接する携帯端末が読み取ったタグ情報を収集する第３のステップと、前記読み取ったタグ情報と、該形成したグループ情報とを前記データサーバに送信する第４のステップと、前記データサーバが、前記受信したタグ情報に基づいて、収集した携帯端末の情報を予め格納した地図に展開して位置情報を生成する第５のステップと、該生成した位置情報を前記観察者の所持する端末に送信する第６のステップと、前記観察者の所持する端末が、前記位置情報を受信し、該位置情報を表示する第７のステップと、を備えたことを特徴とする見守り方法を提案している。
【００３１】
この発明によれば、見守り者が所持する携帯端末と複数の被観察者が所持する携帯端末とが、無線タグからタグ情報を読み取り、複数の被観察者が所持する携帯端末とアドホックネットワーク通信を行い、隣接する携帯端末のＭＡＣアドレスを取得して、グループを形成し、隣接する携帯端末が読み取ったタグ情報を収集して、読み取ったタグ情報と、形成したグループ情報とをデータサーバに送信する。データサーバは、受信したタグ情報に基づいて、収集した携帯端末の情報を予め格納した地図に展開して位置情報を生成し、生成した位置情報を観察者の所持する端末に送信する。観察者の所持する端末は、位置情報を受信し、位置情報を表示する。したがって、無線タグからタグ情報を読み取るとともに、アドホックネットワーク通信を行って、グループを形成して、隣接する携帯端末の情報を収集することから、位置情報と一緒にいる他の被観察者の情報を入手することができる。また、見守り者および被観察者が所持するそれぞれの携帯端末は、無線タグからタグ情報を読み取るだけで、情報の提供を行わないことからセキュリティを確保できる。さらに、見守り者が所持する携帯端末が、データサーバに対して、読み取ったタグ情報と、収集した隣接する携帯端末の情報とを送信することから、他の携帯端末からの無駄な通信を排除して、ネットワークの負荷を軽減することができる。
【００３２】
（１３）本発明は、所定の位置に配置された複数の無線タグと、複数の被観察者が所持する携帯端末と、観察者の所持する端末と、データサーバとからなる見守りシステムにおける見守り方法をコンピュータに実行させるためのプログラムであって、前記被観察者が所持するそれぞれの携帯端末が、前記無線タグからタグ情報を読み取る第１のステップと、アドホックネットワーク通信を行い、隣接する携帯端末のＭＡＣアドレスを取得して、グループを形成する第２のステップと、該隣接する携帯端末が読み取ったタグ情報を収集する第３のステップと、前記読み取ったタグ情報と、該形成したグループ情報とを前記データサーバに送信する第４のステップと、前記データサーバが、前記受信したタグ情報に基づいて、収集した携帯端末の情報を予め格納する地図に展開して位置情報を生成する第５のステップと、該生成した位置情報を前記観察者の所持する端末に送信する第６のステップと、前記観察者の所持する端末が、前記位置情報を受信し、該位置情報を表示する第７のステップと、をコンピュータに実行させるためのプログラムを提案している。
【００３３】
この発明によれば、被観察者が所持するそれぞれの携帯端末が、無線タグからタグ情報を読み取り、アドホックネットワーク通信を行い、隣接する携帯端末のＭＡＣアドレスを取得して、グループを形成し、隣接する携帯端末が読み取ったタグ情報を収集して、読み取ったタグ情報と、形成したグループ情報とをデータサーバに送信する。データサーバは、受信したタグ情報に基づいて、収集した携帯端末の情報を予め格納する地図に展開して位置情報を生成し、生成した位置情報を観察者の所持する端末に送信する。観察者の所持する端末は、位置情報を受信し、位置情報を表示する。したがって、無線タグからタグ情報を読み取るとともに、アドホックネットワーク通信を行って、グループを形成して、隣接する携帯端末の情報を収集することから、位置情報と一緒にいる他の被観察者の情報を入手することができる。また、被観察者が所持するそれぞれの携帯端末は、無線タグからタグ情報を読み取るだけで、情報の提供を行わないことからセキュリティを確保できる。
【００３４】
（１４）本発明は、所定の位置に配置された複数の無線タグと、複数の被観察者が所持する携帯端末と、複数の見守り者が所持する携帯端末と、観察者の所持する端末と、データサーバとからなる見守りシステムにおける見守り方法をコンピュータに実行させるためのプログラムであって、前記見守り者が所持する携帯端末と複数の被観察者が所持する携帯端末とが、前記無線タグからタグ情報を読み取る第１のステップと、前記複数の被観察者が所持する携帯端末とアドホックネットワーク通信を行い、隣接する携帯端末のＭＡＣアドレスを取得して、グループを形成する第２のステップと、該隣接する携帯端末が読み取ったタグ情報を収集する第３のステップと、前記読み取ったタグ情報と、該形成したグループ情報とを前記データサーバに送信する第４のステップと、前記データサーバが、前記受信したタグ情報に基づいて、収集した携帯端末の情報を予め格納した地図に展開して位置情報を生成する第５のステップと、該生成した位置情報を前記観察者の所持する端末に送信する第６のステップと、前記観察者の所持する端末が、前記位置情報を受信し、該位置情報を表示する第７のステップと、をコンピュータに実行させるためのプログラムを提案している。
【００３５】
この発明によれば、見守り者が所持する携帯端末と複数の被観察者が所持する携帯端末とが、無線タグからタグ情報を読み取り、複数の被観察者が所持する携帯端末とアドホックネットワーク通信を行い、隣接する携帯端末のＭＡＣアドレスを取得して、グループを形成し、隣接する携帯端末が読み取ったタグ情報を収集して、読み取ったタグ情報と、形成したグループ情報とをデータサーバに送信する。データサーバは、受信したタグ情報に基づいて、収集した携帯端末の情報を予め格納した地図に展開して位置情報を生成し、生成した位置情報を観察者の所持する端末に送信する。観察者の所持する端末は、位置情報を受信し、位置情報を表示する。したがって、無線タグからタグ情報を読み取るとともに、アドホックネットワーク通信を行って、グループを形成して、隣接する携帯端末の情報を収集することから、位置情報と一緒にいる他の被観察者の情報を入手することができる。また、見守り者および被観察者が所持するそれぞれの携帯端末は、無線タグからタグ情報を読み取るだけで、情報の提供を行わないことからセキュリティを確保できる。さらに、見守り者が所持する携帯端末が、データサーバに対して、読み取ったタグ情報と、収集した隣接する携帯端末の情報とを送信することから、他の携帯端末からの無駄な通信を排除して、ネットワークの負荷を軽減することができる。
【発明の効果】
【００３６】
本発明によれば、無線タグからタグ情報を読み取るとともに、アドホックネットワーク通信を行って、グループを形成して、隣接する携帯端末の情報を収集することから、位置情報と一緒にいる他の被観察者の情報を入手することができるという効果がある。また、被観察者が所持する携帯端末あるいは見守り者が所持するそれぞれの携帯端末は、無線タグからタグ情報を読み取るだけで、情報の提供を行わないことからセキュリティを確保できるという効果がある。さらに、特定の被観察者が所持する携帯端末あるいは見守り者が所持する携帯端末が、データサーバに対して、読み取ったタグ情報と、収集した隣接する携帯端末の情報とを送信することから、他の携帯端末からの無駄な通信を排除して、ネットワークの負荷を軽減することができるという効果がある。また、異常状態を検出したときに、見守り者に対して、その旨のメールを配信することから、異常状態に対して、早急に対応をとることができる。
【発明を実施するための最良の形態】
【００３７】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３８】
＜第１の実施形態＞
図１から図７を用いて、本実施形態に係る見守りシステムについて、詳細に説明する。
【００３９】
＜見守りシステムの構成＞
本実施形態に係る見守りシステムは、図１に示すように、被観察者、例えばＡ、Ｂ、Ｃが所持する携帯端末１ａ、１ｂ、１ｃと、電柱等に設けられた無線タグ２ａ、２ｂ、２ｃと、データサーバ３と、観察者が所持する携帯端末４と、管理サーバ５とから構成され、
特定の被観察者が所持する携帯端末１ａと、データサーバ３、観察者が所持する携帯端末４、管理サーバ５とはネットワーク６を介して、接続されている。なお、本実施形態では、説明の都合上、被観察者が所持する携帯端末および電柱等に設けられた無線タグの数を３つで表わしたが、これらの数は、任意の数でよい。
【００４０】
＜被観察者が所持する携帯端末の構成＞
被観察者が所持する携帯端末１ａ、１ｂ、１ｃは、図２に示すように、近距離無線部１１と、アドホック通信部１２と、受信リストデータベース（ＤＢ）１３と、情報収集部１４と、送信部１５とから構成されている。
【００４１】
近距離無線部１１は、上述の電柱等に設けられた無線タグ２ａ、２ｂ、２ｃから情報を読み出すものであり、例えば、Ｂｌｕｅｔｏｏｔｈ（登録商標）等が用いられる。なお、近距離無線としては、Ｂｌｕｅｔｏｏｔｈ（登録商標）に限らず、Ｚｉｇｂｅｅ（登録商標）を用いてもよい。また、本実施形態では、無線タグ２ａ、２ｂ、２ｃから情報を読み出しのみを行い、情報の提供を行わないことから、セキュリティの点で有利である。また、近距離無線であるために、そのエリアが特定されるという特徴をもっている。
【００４２】
アドホック通信部１２は、隣接する携帯端末１ａ、１ｂ、１ｃ間で、通信を行うことにより、グループ化を行う。具体的には、図１を例にとると、被観察者Ａ、Ｂ、Ｃが所持する携帯端末１ａ、１ｂ、１ｃで、アドホック通信を行うことにより、本人を含んだ（Ａ、Ｂ、Ｃ）というデータが得られ、自分（例えば、Ａ）の近くに、被観察者ＢとＣがいることがわかる。なお、アドホック通信についても、Ｂｌｕｅｔｏｏｔｈ（登録商標）やＺｉｇｂｅｅ（登録商標）を用いた近距離無線で行うことが望ましい。こうした近距離無線によりアドホック通信を行うことにより、エリアを特定できるため、隣接した携帯端末同士のみが通信することができる。
【００４３】
受信リストデータベース（ＤＢ）１３は、後述する管理サーバから送信される受信リストを格納する記憶装置である。この受信リストには、本システムを利用できる携帯端末等の情報がされており、アドホック通信部１２は、このリストを参照することによって、相手方携帯端末からの受信を行うか否かを判断する。こうしたリストを用いることにより、第三者の侵入を未然に防止することができる。
【００４４】
情報収集部１４は、近距離無線部１１が読みだした無線タグの情報（図１の＃１、＃２、＃３）と、アドホック通信部１２が受信した携帯端末の情報（例えば、Ａ、Ｂ、Ｃ）を収集し、（＃２、Ａ、Ｂ、Ｃ）等の情報を送信部１５に出力する。送信部１５は、入力した情報（＃２、Ａ、Ｂ、Ｃ）をネットワーク６を介して、データサーバ３に送信する。なお、無線タグの読み出しは、所定の時間間隔ごとに行われるため、無線タグが読みだせない場合には、携帯端末情報のみが、送信される。また、データサーバ３へのデータの送信は、被観察者のうち、１人の被観察者が行う。こうすることにより、同じ情報が複数の携帯端末から送信されることを防止でき、通信量の削減を図ることができる。なお、代表者（リーダ）の選定方法については、後述する。
【００４５】
＜データサーバの構成＞
本実施形態に係るデータサーバ３は、図３に示すように、受信部２１と、位置情報生成部２２と、地図情報データベース（ＤＢ）２３と、送信部２４とから構成されている。
【００４６】
受信部２１は、被観察者の代表携帯端末から、例えば、（＃２、Ａ、Ｂ、Ｃ）というような位置情報と近接する携帯端末の情報を受信する。なお、受信情報に無線タグの情報がない場合には、所定の場所、例えば、通学路から外れた場所にいるという情報を示すことになる。
【００４７】
位置情報生成部２２は、受信部２１が受信した情報を図示しない記憶装置に記憶して、これを時系列的に、地図情報データベース（ＤＢ）２３に格納された地図情報上に、例えば、図４のように展開して、位置情報を生成する。
【００４８】
地図情報データベース（ＤＢ）２３は、地図情報を格納する記憶装置であり、送信部２４は、位置情報生成部２２が生成した位置情報をネットワーク６を介して、観察者の携帯端末４に送信する。なお、送信先の観察者の端末は、携帯端末に限らず、例えば、パーソナルコンピュータ等でもよい。
【００４９】
＜管理サーバの構成＞
本実施形態に係る管理サーバ４は、図４に示すように、受信部３１と、リスト更新部３２と、リスト情報データベース（ＤＢ）３３と、スケジュール管理部３４と、スケジュール情報データベース（ＤＢ）３５と、送信部３６とから構成されている。
【００５０】
受信部３１は、図示しない外部機器からリストの更新情報およびスケジュール情報を受信する。リスト更新部３２は、受信部３１が受信したリストの更新情報に基づき、古いリストを更新して新しいリストをリスト情報データベース（ＤＢ）３３に格納するとともに、リストの更新があった旨を送信部３６に出力する。
【００５１】
リスト情報データベース（ＤＢ）３３は、リストを記憶する記憶装置であり、リストの更新に応じて、更新したリストを送信部３６に出力する。スケジュール管理部３４は、受信部３１が受信したスケジュールの更新情報等に基づきスケジュールを管理し、新たなスケジュール情報をスケジュール情報データベース（ＤＢ）３５に格納する。
【００５２】
スケジュール情報データベース（ＤＢ）３５は、スケジュールを記憶する記憶装置であり、スケジュールの更新に応じて、更新したスケジュールを送信部３６に出力する。送信部３６は、入力した新たなリストやスケジュール情報をネットワーク６を介して、被観察者が所持する携帯端末１ａ、１ｂ、１ｃに送信する。
【００５３】
＜アドホックネットワークに関する処理＞
次に、アドホックネットワークにおける処理について、詳細に説明する。
【００５４】
本実施形態におけるアドホックネットワークの構築は、初期化処理と隣接ノードに自ノードからのＨＥＬＬＯメッセージを送信する発ノード処理、隣接ノードからのＡＣＫメッセージを処理するＡＣＫ受信処理、前ノードからのＨＥＬＬＯメッセージを隣接ノードに中継する中継ノード処理、終端ノードが行う終端ノード処理、各ノードから通知されたルーティング情報からリーダーを決定するリーダー決定処理から構成される。
【００５５】
＜初期化処理＞
アドホックネットワーク構築機能は次のデータを保持する。
１）隣接ノードテーブル
このテーブルは、検知した隣接ノードのＭＡＣアドレスを保持する。また、端末定義ファイルに定義されていない隣接ノードは破棄する。
【００５６】
２）タグ情報テーブル
このテーブルは、自ノードが検出したタグ情報と他ノードより通知されたタグ情報を保持する。また、検知した隣接ノードのＭＡＣアドレスがタグの場合にはタグ情報テーブルに保持する。さらに、複数のタグが検出された場合には、最も若いＭＡＣアドレスをタグ情報テーブルに保持する。
【００５７】
３）ルーティングテーブル
このテーブルは、自ノードより終端ノードまでの経路情報(中継ノードのＭＡＣアドレス、ノードの属性)を保持する。なお、終端ノードが同じでも経路が異なる場合には別ルートとする。
【００５８】
例えば、図７のような場合にＡが持つ隣接ノードテーブル／ルーティングテーブルは以下の情報となる。
１）隣接ノードテーブル；Ｂ、Ｅ、Ｇ
２）ルーティングテーブル；終端ノード：Ｄ      中継ノード：Ｂ→Ｃ
；終端ノード：Ｄ      中継ノード：Ｇ
；終端ノード：Ｆ      中継ノード：Ｅ
この中継ノード数をカウントすることにより、終端ノードまでのホップ数をカウントできる。
【００５９】
ディスカバリ機能を利用し、隣接ノードの検出を行う。そして、検出した隣接ノードのＭＡＣアドレスは端末定義ファイルとチェックを行い、端末定義ファイルに存在しない隣接ノードは破棄する。また、検出された隣接ノードがタグの場合には、アドホックの対象とする隣接ノードとして扱わない。さらに、複数のタグが検出された場合には、最もＭＡＣアドレスが若いタグを有効とする。そして、ルーティングテーブルの初期化を行う。
【００６０】
＜発ノードの処理＞
発ノードは、隣接ノード全てに自ノードの持つルーティングテーブルを通知する。通知する情報は自ノードのＭＡＣアドレス、ホップ数  (動作定義ファイルで指定)、自ノードの持つルーティングテーブルの全ての情報(隣接ノードテーブルを含む)、タグ情報テーブルを含む。
【００６１】
＜中継ノード処理＞
前ノードよりメッセージを受信したノードは受信したメッセージにより、中継ノードの処理、終端ノードの処理、ＡＣＫ受信の処理を行う。隣接ノードテーブル数が、０の場合はｂｌｕｅｔｏｏｔｈ（登録商標）のディスカバリ機能を呼び出し、隣接ノードの検出を行う。
【００６２】
検出した隣接ノードのＭＡＣアドレスは、端末定義ファイルとチェックを行い、端末定義ファイルに存在しない隣接ノードは破棄する。また、検出された隣接ノードがタグの場合には、アドホックの対象とする隣接ノードとして扱わない。複数のタグが検出された場合には、最もＭＡＣアドレスが若いタグを有効とする。
【００６３】
受信メッセージに含まれるルーティング情報により自ノードが持つルーティングテーブルの更新(追加、変更)を行う。
【００６４】
前ノード(受信メッセージの発ノード)にＡＣＫメッセージを通知する。通知する情報は  自ノードのＭＡＣアドレス、ホップ数＝０、自ノードの持つルーティングテーブルの全ての情報(隣接ノードテーブルを含む)、タグ情報テーブル。
【００６５】
自ノードが持つルーティングテーブルに更新が発生した場合は、受信メッセージのホップ数を減算し、前ノードを除く隣接ノード全てに更新後の自ノードのルーティングテーブルを通知する(メッセージの中継)。通知する情報には、自ノードのＭＡＣアドレス、ホップ数  (受信メッセージのホップ数を減算した値)、自ノードの持つルーティングテーブルの全ての情報(隣接ノードテーブルを含む)、タグ情報テーブルを含む。
【００６６】
＜ＡＣＫ受信処理＞
受信メッセージに含まれるルーティング情報により自ノードが持つルーティングテーブルの更新(追加、変更)を行う。なお、ＡＣＫメッセージは中継しない。
【００６７】
＜終端ノードの処理＞
受信メッセージに含まれるルーティング情報により自ノードが持つルーティングテーブルの更新(追加、変更)を行う。前ノード(受信メッセージの発ノード)にＡＣＫメッセージを通知する。通知する情報には、自ノードのＭＡＣアドレス、ホップ数＝０(ＡＣＫメッセージ)、自ノードの持つルーティングテーブルの全ての情報(隣接ノードテーブルを含む)、タグ情報テーブルを含む。
【００６８】
＜リーダーの決定＞
自ノードが持つルーティングテーブルに、自ノードより小さいＭＡＣアドレスを持つノードが存在する場合は、リーダー権限を放棄する。その結果、最も小さいＭＡＣアドレスを持つノードがリーダーとなり、データサーバ３との通信を行う。
【００６９】
＜アドホックネットワークのデータ受信＞
１） 受信メッセージのフォーマットチェック。異常なフォーマットのメッセージの場合には破棄する。
２）受信メッセージの解析を行い、ルーティング情報テーブル、タグ情報テーブルの更新を行う。
【００７０】
＜ディスカバリ機能＞
隣接ノードのＭＡＣアドレスをＢｌｕｅｔｏｏｔｈ（登録商標）のディスカバリ機能を使用して探索する。探索した隣接ノードのＭＡＣアドレスリストをアドホックネットワーク構築手順に通知する。
【００７１】
＜データ送信機能＞
アドホックネットワーク構築情報を指定ノードへＢｌｕｅｔｏｏｔｈ（登録商標）により送信する。
【００７２】
＜データ受信機能＞
他のノードからのコネクションを受付、Ｂｌｕｅｔｏｏｔｈ（登録商標）によりデータを受信する。
なお、本実施形態においては、無線形式として、Ｂｌｕｅｔｏｏｔｈ（登録商標）を例にとって説明したが、これに限らず、Ｚｉｇｂｅｅ（登録商標）を用いてもよい。
【００７３】
＜見守りシステムの処理＞
図７を用いて、本実施形態に係る見守りシステムの処理について、説明する。
【００７４】
まず、被観察者が所持するそれぞれの携帯端末１ａ、１ｂ、１ｃが、無線タグ２ａ、２ｂ、２ｃからタグ情報を読み取る（ステップＳ１０１）。次に、アドホックネットワーク通信を行い、隣接する携帯端末の情報および隣接する携帯端末が保持するタグ情報を収集する（ステップＳ１０２）。
【００７５】
複数の被観察者が所持する携帯端末のうち、１の携帯端末のみが、収集した隣接する携帯端末の情報およびタグ情報をデータサーバ３に送信する（ステップＳ１０３）。
【００７６】
データサーバ３が、受信したタグ情報に基づいて、収集した携帯端末の情報を予め格納する地図に展開して位置情報を生成し（ステップＳ１０４）、生成した位置情報を観察者の所持する端末に送信する（ステップＳ１０５）。そして、観察者の所持する端末が、位置情報を受信し、位置情報を表示する（ステップＳ１０６）。
【００７７】
以上、説明したように、本実施形態によれば、無線タグからタグ情報を読み取るとともに、アドホックネットワーク通信を行って、グループを形成して、隣接する携帯端末の情報を収集することから、位置情報と一緒にいる他の被観察者の情報を入手することができる。また、被観察者が所持するそれぞれの携帯端末は、無線タグからタグ情報を読み取るだけで、情報の提供を行わないことからセキュリティを確保できる。さらに、特定の被観察者が所持する携帯端末が、データサーバに対して、読み取ったタグ情報と、収集した隣接する携帯端末の情報とを送信することから、他の携帯端末からの無駄な通信を排除して、ネットワークの負荷を軽減することができる。
【００７８】
＜第２の実施形態＞
図８から図１１を用いて、本実施形態に係る見守りシステムについて、詳細に説明する。
【００７９】
＜見守りシステムの構成＞
本実施形態に係る見守りシステムは、図８に示すように、被観察者、例えばＡ、Ｂ、Ｃが所持する携帯端末１ａ、１ｂ、１ｃと、見守り者が所持する携帯端末１ｚと、電柱等に設けられた無線タグ２ａ、２ｂ、２ｃと、データサーバ３と、観察者が所持する携帯端末４と、管理サーバ５とから構成され、見守り者が所持する携帯端末１ｚと、データサーバ３、観察者が所持する携帯端末４、管理サーバ５とはネットワーク６を介して、接続されている。なお、本実施形態では、説明の都合上、被観察者が所持する携帯端末および電柱等に設けられた無線タグの数を３つで表わしたが、これらの数は、任意の数でよい。
【００８０】
＜見守り者が所持する携帯端末の構成＞
見守り者が所持する携帯端末１ｚは、図９に示すように、近距離無線部４１と、アドホック通信部４２と、受信リストデータベース（ＤＢ）４３と、情報収集部４４と、送信部４５と、メール受信部４６と、表示部４７とから構成されている。なお、被観察者が所持する携帯端末の機能は、アドホックネットワークに見守り者が所持する携帯端末を含める点を除いて、第１の実施形態と同様である。
【００８１】
近距離無線部４１は、上述の電柱等に設けられた無線タグ２ａ、２ｂ、２ｃから情報を読み出すものであり、例えば、Ｂｌｕｅｔｏｏｔｈ（登録商標）等が用いられる。本実施形態では、無線タグ２ａ、２ｂ、２ｃから情報を読み出しのみを行い、情報の提供を行わないことから、セキュリティの点で有利である。また、近距離無線であるために、そのエリアが特定されるという特徴をもっている。
【００８２】
アドホック通信部４２は、隣接する携帯端末１ａ、１ｂ、１ｃとの間で、通信を行うことにより、グループ化を行う。具体的には、図１を例にとると、被観察者Ａ、Ｂ、Ｃが所持する携帯端末１ａ、１ｂ、１ｃと見守り者が所持する携帯端末１ｚで、アドホック通信を行うことにより、本人を含んだ（Ｚ、Ａ、Ｂ、Ｃ）というデータが得られ、見守り者Ｚの近くに、被観察者ＡとＢとＣがいることがわかる。
【００８３】
受信リストデータベース（ＤＢ）４３は、後述する管理サーバから送信される受信リストを格納する記憶装置である。この受信リストには、本システムを利用できる携帯端末等の情報がされており、アドホック通信部４２は、このリストを参照することによって、相手方携帯端末からの受信を行うか否かを判断する。こうしたリストを用いることにより、第三者の侵入を未然に防止することができる。
【００８４】
情報収集部４４は、近距離無線部４１が読みだした無線タグの情報（図１の＃１、＃２、＃３）と、アドホック通信部４２が受信した携帯端末の情報（例えば、Ｚ、Ａ、Ｂ、Ｃ）を収集し、（＃２、Ｚ、Ａ、Ｂ、Ｃ）等の情報を送信部５５に出力する。送信部４５は、入力した情報（＃２、Ｚ、Ａ、Ｂ、Ｃ）をネットワーク６を介して、データサーバ３に送信する。なお、データサーバ３へのデータの送信は、見守り者が所持する携帯端末で行う。こうすることにより、同じ情報が複数の携帯端末から送信されることを防止でき、通信量の削減を図ることができる。
【００８５】
メール受信部４６は、後述するデータサーバが異常状態を検出したときに、電子メールを受信する。なお、本実施形態では、異常状態の通知手段として、電子メールを例示したが、これに限らず、ＳＭＳ（Ｓｈｏｒｔ  Ｍｅｓｓａｇｅ  Ｓｅｒｖｉｃｅ）等を用いてもよい。また、表示部４７は、受信した電子メールの内容を表示する表示装置である。
【００８６】
＜データサーバの構成＞
本実施形態に係るデータサーバ３は、図１０に示すように、受信部５１と、位置情報生成部５２と、地図情報データベース（ＤＢ）５３と、送信部５４と、異常状態検出部５５と、メール送信部５６とから構成されている。
【００８７】
受信部５１は、見守り者が所持する携帯端末１ｚから、例えば、（＃２、Ｚ、Ａ、Ｂ、Ｃ）というような位置情報と近接する携帯端末の情報を受信する。
【００８８】
位置情報生成部５２は、受信部５１が受信した情報を図示しない記憶装置に記憶して、これを時系列的に、地図情報データベース（ＤＢ）５３に格納された地図情報上に、例えば、図４のように展開して、位置情報を生成する。
【００８９】
地図情報データベース（ＤＢ）５３は、地図情報を格納する記憶装置であり、送信部５４は、位置情報生成部５２が生成した位置情報をネットワーク６を介して、観察者の携帯端末４に送信する。なお、送信先の観察者の端末は、携帯端末に限らず、例えば、パーソナルコンピュータ等でもよい。
【００９０】
異常状態検出部５５は、位置情報生成部５２が生成し、地図情報データベース（ＤＢ）５３に格納した情報から異常状態を検出して、メール送信部５５を介して、見守り者が所持する携帯端末１ｚに電子メールを送信する。
【００９１】
＜管理サーバの構成＞
本実施形態に係る管理サーバ４は、第１の実施形態とほぼ同様であり、見守り者が所持する携帯端末１ｚに対しても、新たなリストやスケジュール情報をネットワーク６を介して、送信する点において相違する。
【００９２】
＜見守りシステムの処理＞
図１１を用いて、本実施形態に係る見守りシステムの処理について、説明する。
【００９３】
まず、見守り者が所持する携帯端末と複数の被観察者が所持する携帯端末とが、無線タグからタグ情報を読み取り（ステップＳ２０１）、複数の被観察者が所持する携帯端末とアドホックネットワーク通信を行い、隣接する携帯端末の情報および隣接する携帯端末が保持するタグ情報を収集する（ステップＳ２０２）。
【００９４】
収集した隣接する携帯端末の情報およびタグ情報を見守り者が所持する携帯端末が、データサーバに送信する（ステップＳ２０３）。
【００９５】
データサーバが、受信したタグ情報に基づいて、収集した携帯端末の情報を予め格納した地図に展開して位置情報を生成し（ステップＳ２０４）、生成した位置情報を観察者の所持する端末に送信する（ステップＳ２０５）。そして、観察者の所持する端末が、位置情報を受信し、位置情報を表示する（ステップＳ２０６）。
【００９６】
なお、アドホックネットワークに関する処理については、第１の実施形態と同様である。
【００９７】
したがって、本実施形態によれば、無線タグからタグ情報を読み取るとともに、アドホックネットワーク通信を行って、グループを形成して、隣接する携帯端末の情報を収集することから、位置情報と一緒にいる他の被観察者の情報を入手することができる。また、見守り者および被観察者が所持するそれぞれの携帯端末は、無線タグからタグ情報を読み取るだけで、情報の提供を行わないことからセキュリティを確保できる。さらに、見守り者が所持する携帯端末が、データサーバに対して、読み取ったタグ情報と、収集した隣接する携帯端末の情報とを送信することから、他の携帯端末からの無駄な通信を排除して、ネットワークの負荷を軽減することができる。また、異常状態を検出したときに、見守り者に対して、その旨のメールを配信することから、異常状態に対して、早急に対応をとることができる。
【００９８】
なお、これらプログラムをコンピュータ読み取り可能な記録媒体に記録し、この記録媒体に記録されたプログラムを被観察者および見守り者が所持する携帯端末、データサーバ、管理サーバのそれぞれ（いずれもコンピュータシステム）に読み込ませ、実行することによって本発明の見守りシステムを実現することができる。ここでいうコンピュータシステムとは、ＯＳや周辺装置等のハードウェアを含む。
【００９９】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【０１００】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【０１０１】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【０１０２】
【図１】第１の実施形態に係る見守りシステムの構成図である。
【図２】第１の実施形態に係る被観察者が所持する携帯端末の構成図である。
【図３】第１の実施形態に係るデータサーバの構成図である。
【図４】第１の実施形態に係る表示例である。
【図５】第１の実施形態に係る管理サーバの構成図である。
【図６】第１の実施形態に係る隣接ノードテーブルおよびルーティングテーブルについて説明するための図である。
【図７】第１の実施形態に係る見守りシステムの処理フローである。
【図８】第２の実施形態に係る見守りシステムの構成図である。
【図９】第２の実施形態に係る見守り者が所持する携帯端末の構成図である。
【図１０】第２の実施形態に係るデータサーバの構成図である。
【図１１】第２の実施形態に係る見守りシステムの処理フローである。
【符号の説明】
【０１０３】
１ａ、１ｂ、１ｃ・・・被観察者所持する携帯端末
１ｚ・・・見守り者が所持する携帯端末
２ａ、２ｂ、２ｃ・・・無線タグ
３・・・データサーバ
４・・・観察者が所持する携帯端末
５・・・管理サーバ
６・・・ネットワーク
１１、４１・・・近距離無線部
１２、４２・・・アドホック通信部
１３、４３・・・受信リストデータベース（ＤＢ）
１４、４４・・・情報収集部
１５、２４、３６、４５、５４・・・送信部
２１、３１、５１・・・受信部
２２、５２・・・位置情報生成部
２３、５３・・・地図情報データベース（ＤＢ）
３２・・・リスト更新部
３３・・・リスト情報データベース（ＤＢ）
３４・・・スケジュール管理部
３５・・・スケジュール情報データベース（ＤＢ）
４６・・・メール受信部
４７・・・表示部
５５・・・異常状態検出部
５６・・・メール送信部
【図１】
0004987782.tif 000002
【図２】
0004987782.tif 000003
【図３】
0004987782.tif 000004
【図４】
0004987782.tif 000005
【図５】
0004987782.tif 000006
【図６】
0004987782.tif 000007
【図７】
0004987782.tif 000008
【図８】
0004987782.tif 000009
【図９】
0004987782.tif 000010
【図１０】
0004987782.tif 000011
【図１１】
0004987782.tif 000012